(57)【要約】【課題】折り畳みの作業性や折り畳み後の折り畳み状態の維持性を損ねることなく、折り畳みの際に吸収体にもたらされる撚れや折り癖の発生を抑制することを可能とする、収納体に収納されている被収納吸収性物品を提供すること。【解決手段】本発明の、収納体に収納されている被収納吸収性物品は、表面シートと裏面シートと吸収体とを有し、吸収体が、第１の幅にて互いに対して平行に且つ長手方向に延在する一対の第１側方縁を有する第１領域と、該第１領域と長手方向において隣接して配置された第２領域であって上記第１の幅よりも大きな第２の幅にて互いに対して平行に且つ長手方向に延在する一対の第２側方縁を有する第２領域との２つの領域にて形成され、被収納吸収性物品が、吸収体の第１領域の第１側方縁に沿って平行に延びる一対の線を折り畳み線として、該折り畳み線に沿って幅方向内側に折り畳まれた状態で収納体内に収納されている。【選択図】図１
2014150824.tif 000002
【特許請求の範囲】
【請求項１】
液透過性の表面シートと、該表面シートと対向する位置に配設された液不透過性の裏面シートと、前記表面シートと前記裏面シートとの間に配置された吸収体とを有し、収納体内に収納されている被収納吸収性物品であって、
前記吸収体は、第１の幅にて互いに対して平行に且つ長手方向に延在する一対の第１側方縁を有する第１領域と、該第１領域と長手方向において隣接して配置された第２領域であって前記第１の幅よりも大きな第２の幅にて互いに対して平行に且つ長手方向に延在する一対の第２側方縁を有する第２領域との２つの領域にて形成され、
前記被収納吸収性物品は、前記吸収体の第１領域の第１側方縁に沿って平行に延びる一対の線を折り畳み線として、該折り畳み線に沿って幅方向内側に折り畳まれた状態で収納体内に収納されている、被収納吸収性物品。
【請求項２】
前記表面シートの長手方向の両側に、該長手方向に沿って延在するように設けられた液不透過性の防漏シートであって、前記被収納吸収性物品の装着時に着用者の肌側に起立する一対の液不透過性の防漏シートが配設される、請求項１に記載の被収納吸収性物品。
【請求項３】
前記防漏シートは、長手方向に延びる弾性部材と、該弾性部材と一体的に接合され一方の側縁が自由端である液不透過性のギャザーシートとを有して形成される、請求項２に記載の被収納吸収性物品。
【請求項４】
前記吸収体は、吸収部材と該吸収部材の表面を被覆する被覆シートとを有し、
前記吸収部材の表面は、前記表面シートの方に向く上側表面と、前記裏面シートの方に向く下側表面と、前記上側表面と前記下側表面とを繋ぐ側壁表面とにより形成され、
前記吸収部材の側壁表面は、前記被覆シートにて被覆されない非被覆領域とされる、請求項３に記載の被収納吸収性物品。
【請求項５】
前記吸収部材の上側表面及び下側表面の縁部がさらに、前記被覆シートにて被覆されない非被覆領域とされる、請求項４に記載の被収納吸収性物品。
【発明の詳細な説明】
【技術分野】
【０００１】
本発明は、液透過性の表面シートと、液不透過性の裏面シートと、表面シートと裏面シートとの間に配置された吸収体とを有し、収納体に収納されている被収納吸収性物品、すなわち、収納体内に収納されるべく折り畳まれた状態にある吸収性物品に関する。
【背景技術】
【０００２】
尿取りパッドのような吸収性物品は概して、着用者の前側（腹側）から後ろ側（背中側）に延びる縦長の形状を有し、液透過性の表面シートと、液不透過性の裏面シートと、表面シートと裏面シートとの間に配置される吸収体とを有して形成されている。
【０００３】
そして、このような吸収性物品のなかには、尿などの体液が吸収性物品から漏れ出ることを防止する防漏シートが設けられるものもある。このような防漏シートとしては、例えば、吸収性物品の長手方向の両側に設けられて、装着の際に、着用者の股下領域において着用者の肌方向に立ち上がる形態を有するものが知られている。
【先行技術文献】
【特許文献】
【０００４】
【特許文献１】特開平９−２６６９２８号公報
【発明の概要】
【発明が解決しようとする課題】
【０００５】
ところで、尿取りパッドのような吸収性物品の収納体内への収納に際しては、概して、吸収性物品が収納された収納体の大きさのコンパクト化などを図るべく、収納する前の事前作業として、吸収性物品（製品）を折り畳むという作業が行われている。
【０００６】
このような折り畳み作業については、例えば特開平９−２６６９２８号公報（特許文献１）に示されるように、折り畳みの作業性や折り畳み後の折り畳み状態の維持性などを考慮して、吸収体上にて互いに対して平行に且つ長手方向の略全長にわたって延びる一対の線を折り畳み線として、該折り畳み線に沿って吸収性物品を幅方向内側の折り畳む作業を行うものが知られている。
【０００７】
しかしながら、上記のような被収納吸収性物品の使用時においては、折り畳まれた吸収体部分を、着用者の肌方向に向けて立ち上げることが必要となるが、吸収体上にて過度に長く延びる折り畳み線に沿った吸収体の折り畳みは、吸収体に撚れや折り癖をもたらし、実際に使用する際の被収納吸収性物品の展開時に吸収体が所望の形状に展開されないことがあり、このことは、例えば、吸収体の吸収面の有効利用の阻害や、折り畳み癖に沿った尿の流出（漏れ）の発生などをもらしてしまう場合がある。
【０００８】
本発明は上記課題に鑑み、収納体内に収納されている被収納吸収性物品であって、折り畳みの作業性や折り畳み後の折り畳み状態の維持性を損ねることなく、折り畳みの際に吸収体にもたらされる撚れや折り癖の発生を抑制することを可能とする被収納吸収性物品を提供することを目的とする。
【課題を解決するための手段】
【０００９】
請求項１に記載の発明によれば、液透過性の表面シートと、該表面シートと対向する位置に配設された液不透過性の裏面シートと、前記表面シートと前記裏面シートとの間に配置された吸収体とを有し、収納体内に収納されている被収納吸収性物品であって、前記吸収体は、第１の幅にて互いに対して平行に且つ長手方向に延在する一対の第１側方縁を有する第１領域と、該第１領域と長手方向において隣接して配置された第２領域であって前記第１の幅よりも大きな第２の幅にて互いに対して平行に且つ長手方向に延在する一対の第２側方縁を有する第２領域との２つの領域にて形成され、
前記被収納吸収性物品は、前記吸収体の第１領域の第１側方縁に沿って平行に延びる一対の線を折り畳み線として、該折り畳み線に沿って幅方向内側に折り畳まれた状態で収納体内に収納されている、被収納吸収性物品が提供される。
【００１０】
すなわち、請求項１に記載の発明では、表面シートと裏面シートと吸収体とを有し、収納体内に収納されている被収納吸収性物品において、長手方向に互いに隣接する２つの領域であって、狭幅領域となる第１領域と広幅領域となる第２領域との２つの領域にて吸収体が形成されるものとする。さらに、収納の際の被収納吸収性物品の幅方向内側への折り畳みに関して、狭幅領域となる第１領域の長手方向に且つ平行に延在する側方縁に沿って平行に延びる一対の線を折り畳み線として被収納吸収性物品が幅方向内側に折り畳まれるものとする。
【００１１】
このような本発明によれば、少なくとも吸収体の狭幅領域となる第１領域の長手方向に且つ平行に延在する側方縁にわたる吸収体部分は折り畳まれることはなく、吸収体上にて長手方向全長にわたって平行に延びる一対の線を折り畳み線として幅方向内側へ折り畳むものと比較して、吸収体上における折り畳み部分を低減することができ、折り畳みの際に吸収体にもたらされる撚れや折り癖の発生を抑制することを可能とする。また、このような本発明によれば、少なくとも吸収体の広幅領域となる第２領域において折り畳み部分を存在させるようにすることができ、折り畳みの作業性や折り畳み後の折り畳み状態の維持性を損ねることなく、折り畳みの際に吸収体にもたらされる撚れや折り癖の発生を抑制することを可能とする。
【００１２】
請求項２に記載の発明によれば、前記表面シートの長手方向の両側に、該長手方向に沿って延在するように設けられた液不透過性の防漏シートであって、前記被収納吸収性物品の装着時に着用者の肌側に起立する一対の液不透過性の防漏シートが配設される、請求項１に記載の被収納吸収性物品が提供される。
【００１３】
請求項３に記載の発明によれば、前記防漏シートは、長手方向に延びる弾性部材と、該弾性部材と一体的に接合され一方の側縁が自由端である液不透過性のギャザーシートとを有して形成される、請求項２に記載の被収納吸収性物品が提供される。
【００１４】
請求項４に記載の発明によれば、前記吸収体は、吸収部材と該吸収部材の表面を被覆する被覆シートとを有し、前記吸収部材の表面は、前記表面シートの方に向く上側表面と、前記裏面シートの方に向く下側表面と、前記上側表面と前記下側表面とを繋ぐ側壁表面とにより形成され、前記吸収部材の側壁表面は、前記被覆シートにて被覆されない非被覆領域とされる、請求項３に記載の被収納吸収性物品が提供される。
【００１５】
請求項５に記載の発明によれば、前記吸収部材の上側表面及び下側表面の縁部がさらに、前記被覆シートにて被覆されない非被覆領域とされる、請求項４に記載の被収納吸収性物品が提供される。
【発明の効果】
【００１６】
各請求項に記載の発明によれば、液透過性の表面シートと、該表面シートと対向する位置に配設された液不透過性の裏面シートと、表面シートと裏面シートとの間に配置された吸収体とを有し、収納体内に収納されている被収納吸収性物品において、吸収性物品が収納された収納体の大きさのコンパクト化などを図るべく行う折り畳みによって生じうる吸収体の撚れや折り癖を低減することができ、着用時における吸収体の吸収面の有効利用の阻害や、折り畳み癖に沿った尿の流出（漏れ）の発生などを抑制することを可能とする、という共通の効果を奏する。
【図面の簡単な説明】
【００１７】
【図１】収納体に収納すべく折り畳まれる前における、本発明に係る被収納吸収物品の平面図である。
【図２】図１に示された折り畳まれる前の被収納吸収性物品の分解斜視図である。
【図３】図１に示された折り畳まれる前の被吸収性物品のＡ−Ａ線にての分解断面図である。
【図４】図１に示された折り畳まれる前の被収納吸収性物品のＢ−Ｂ線にての分解断面図である。
【図５】収納体に収納すべく折り畳まれる前における、本発明に係る被収納吸収性物品の吸収体の吸収部材と上被覆シートあるいは下被覆シートとの配置関係の一実施形態を説明するための図である。
【図６】本発明に係る被収納吸収性物品の幅方向内側への折り畳み線の位置の一例を説明するための図である。
【図７】図６に示される折り畳み線に沿って折り畳まれた後の、被収納吸収性物品の吸収体の第１領域における状態の一例を示す図である。
【図８】図６に示される折り畳み線に沿って折り畳まれた後の、被収納吸収性物品の吸収体の第２領域における状態の一例を示す図である。
【図９】収納体内に収納される前における更なる折り畳みの一例を説明する模式図である。
【図１０】収納体内に収納されている被収納吸収性物品の状態の一例を示す斜視図である。
【発明を実施するための形態】
【００１８】
以下、図面を参照しつつ本発明に係る被収納吸収性物品の一実施形態を説明する。図１から図４は、本発明の係る被収納吸収性物品であって、収納体に収納されるべく折り畳まれる前の被収納吸収性物品の一実施形態を説明するための図である。図１は、収納体に収納すべく折り畳まれる前における、本発明に係る被収納吸収物品の平面図である。図２は、図１に示された折り畳まれる前の被収納吸収性物品の分解斜視図である。図３は、図１に示された折り畳まれる前の被吸収性物品のＡ−Ａ線にての分解断面図である。図４は、図１に示された折り畳まれる前の被収納吸収性物品のＢ−Ｂ線にての分解断面図である。図１から図４の各図においては、１は表面シート、２は裏面シート、３は吸収部材、４は上被覆シート、５は下被覆シート、６は防漏シート、７は弾性材、８はギャザーシート、９は吸収体、１０は被収納吸収性物品、のそれぞれ示す。
【００１９】
図１から図４に示される実施形態における折り畳まれる前の被収納吸収性物品１０は、尿取りパッドであり、液透過性の表面シート１と、液不透過性の裏面シート２と、表面シート１と裏面シート２との間に配置された吸収体９とを備えて形成される。
【００２０】
さらに、図１から図４に示される実施形態における折り畳まれる前の被収納吸収性物品１０は、表面シート１の長手方向の両側に、該長手方向に沿って延在するように設けられた液不透過性の防漏シート６であって、被収納吸収性物品１０の装着時に着用者の肌側に起立する一対の液不透過性の防漏シート６が配設される。該防漏シート６は、表面シート１の長手方向に延びる弾性部材７と、該弾性部材７と一体的に接合され一方の側縁が自由端である液不透過性のギャザーシート８とを有して形成される。
【００２１】
表面シート１は、着用者の尿を素早く吸収して吸収体９に移行させる液透過性のシートである。表面シート１は着用者の肌と接触するため、肌触りがよいこと、および皮膚への安全性が要求される。また、表面シート１は、吸収体９に吸収された尿を逆戻りさせないことも必要である。着用者の尿を素早く吸収して吸収体９に移行させるために、表面シート１は、ホットメルト型接着剤などの接着剤を使用して吸収体９と接着している。接着剤による液透過性の減少を抑制するために、接着剤は筋状コータ塗工により表面シート１または吸収体９の上被覆シート４に塗布される。表面シート１に用いられる不織布は、繊維同士の交点が熱融着される繊維を含む。このような繊維には、例えば、熱可塑性ポリマー材料からなる繊維があり、ポリエチレンおよびポリプロピレンなどのポリオレフィン、ポリエチレンテレフタレートなどのポリエステル、ポリアミドなどがある。また、このような繊維に、複数の熱可塑性ポリマー材料の組み合わせからなる芯鞘型やサイド・バイ・サイド型の複合繊維を使用してもよい。
【００２２】
裏面シート２は、尿を透過しない液不透過性シートであり、排出された尿が外に漏れないようにするために設けられている。裏面シート２には、例えば、防水処理を施した不織布、ポリエチレンなどから構成されるプラスチックフィルム、不織布とプラスチックフィルムとの複合材料などが用いられる。
【００２３】
防漏シート６は、該防漏シート６を乗り越えて尿が吸収性物品の外方へ流れることを防止するために、疎水性又は撥水性を有することが好ましい。具体的には、スパンボンド不織布やＳＭＳ不織布などが挙げられる。表面シート１及び防漏シート６は、肌との当接面を構成する。すなわち、本実施形態において防漏シート６は、表面シート１の表面を伝う尿が吸収性物品の外側へ漏れることを防止する防漏部を構成する。尚、防漏シートがなくても表面シートのみにて十分に吸収性物品の外側への尿の漏れを防止できるような構成を有する別の実施形態においては、防漏シートは有さず形成される。
【００２４】
吸収体９は、吸収部材３と被覆シート４、５とにより形成され、着用者の尿を吸収し保持する役割を果たすものである。例えば、吸収体９は、粉砕パルプ、高吸収性ポリマー、親水性シートなどの吸収部材３と、該吸収部材３を被覆するティッシュペーパまたは親水化処理を行った不織布などの被覆シート４、５とから形成される。被覆シートには、吸収部材３の表面シート側の面を覆う上被覆シート４と、吸収部材３の裏面シート側の面を覆う下被覆シート５とがある。各被覆シートは、吸収部材３とホットメルト型接着剤などの接着剤で接着されていてもよい。接着剤は、スパイラル塗工、カーテン塗工などにより吸収部材または被覆シートに塗布される。
【００２５】
本発明に係る被収納吸収性物品１０の吸収体９は、図１に示される実施形態から理解されうるごとく、着用者に着用されたときに着用者の股間部に隣接して配設される第１領域であって第１の幅ａにて互いに対して平行に且つ長手方向に延在する一対の側方縁を有する第１領域（狭幅領域）と、該第１領域と長手方向において隣接して配置されて着用者に着用させたときに着用者の臀部に隣接して配設される第２領域であって、上記第１の幅ａよりも大きな第２の幅ｂにて互いに対して平行に且つ長手方向に延在する一対の側方縁を有する第２領域（広幅領域）との２つの領域にて形成される。
【００２６】
ちなみに、吸収体９における狭幅領域となる第１領域と広幅領域となる第２領域との、吸収体３の長手方向全長に対するそれぞれの領域の長手方向長の占める割合は、予めの解析評価や試験評価などにより決定される。この点に関して、着用者に着用されたときに着用者の股間部に隣接して配設される狭幅領域となる第１領域は、特に股間へのフィット性が強く要求される。一方で、着用者に着用されたときに着用者の臀部に隣接して配設される広幅領域となる第２領域は、特に尿の吸収性が強く要求される。このような観点を考慮した本発明者による鋭意研究により、吸収体９の長手方向全長を１００％とした場合に、狭幅領域となる第１領域と広幅領域となる第２領域とのいずれの領域も、吸収体９の長手方向全長に対するそれぞれの領域の長手方向長占める割合が、３０％以下にならないように、より好ましくは、４０％以下にならないようにすることが妥当であることが判明した。
【００２７】
次に、図１から図４に示される実施形態の吸収体９における吸収部材３と上被覆シート４あるいは下被覆シート５との配置関係を説明する。
【００２８】
図１から図４の記載内容から理解されうるごとく、本実施形態における吸収体９は、吸収部材３と該吸収部材３の表面を被覆する被覆シートとを有し、吸収部材３の表面は、表面シート１の方に向く上側表面と、裏面シート２の方に向く下側表面と、該上側表面と下側表面とを繋ぐ側壁表面とにより形成され、吸収部材３の側壁表面は、上被覆シート４及び下被覆シート５のいずれの被覆シートにても被覆されない非被覆領域とされる。このように吸収部材３の側壁表面を非被覆領域とすることで、吸収部材３の側壁表面から直接的に尿を吸収することができ、吸収部材３の側壁表面が被覆シートにて被覆されているもの比較して、吸収体９による尿の、より効果的な吸収を可能とし、また、使用する被覆シート材料の量を低減することができ、被覆シートの材料費の削減を図ることを可能とする。ちなみに、吸収部材３の側壁表面を被覆しても十分な尿の吸収性が得られるような実施形態においては、吸収部材の側壁表面が被覆シートにて被覆される。
【００２９】
尚、本実施形態においては、吸収体９による尿の、更なる効果的な吸収を可能とし、また、使用する被覆シート材料の量の更なる低減を行って被覆シートの材料費の削減を図るべく、吸収部材３の上側表面及び下側表面の縁部がさらに、被覆シートに被覆されない非被覆領域とされる。図５は、このような本実施形態を説明する図であって、収納体に収納すべく折り畳まれる前における、本発明に係る被収納吸収性物品の吸収体の吸収部材と上被覆シートあるいは下被覆シートとの配置関係の一実施形態を説明するための図である。
【００３０】
図５から理解されうるごとく、本実施形態においては、吸収部材３の上側表面及び下側表面の長手方向の縁部がさらに、被覆シートに被覆されない非被覆領域とされる。このように吸収部材３の上側表面及び下側表面の縁部をさらに非被覆領域とすることで、吸収部材３の上側表面及び下側表面の縁部からも直接的に尿などの体液を吸収することができ、吸収部材３の上側表面及び下側表面の縁部が被覆シートにて被覆されているもの比較して、吸収体９による尿などの体液の、より効果的な吸収を可能とし、また、使用する被覆シート材料の量を低減することができ、被覆シートの材料費の削減を図ることを可能とする。
【００３１】
ちなみに、図５に示される実施形態においては、吸収部材３の上側表面及び下側表面の長手方向の縁部がさらに、被覆シートに被覆されない非被覆領域とされるが、別の実施形態においては、吸収部材３の上側表面及び下側表面の幅方向の縁部が、被覆シートに被覆されない非被覆領域とされる。また、さらに別の実施形態においては、吸収部材３の上側表面及び下側表面の長手方向及び幅方向の両縁部が、被覆シートに被覆されない非被覆領域とされる。尚、吸収部材３の上側表面及び下側表面の全面が被覆シートにて被覆されても十分な尿の吸収性が得られるような別の実施形態においては、吸収部材３の上側表面及び下側表面の全面が被覆シートにて被覆される。
【００３２】
図６から図８は、図１から図５に示す実施形態の折り畳まる前の被収納吸収性物品に対する折り畳みを説明する図である。そして特に図６は、本発明に係る被収納吸収性物品の幅方向内側への折り畳み線の位置の一例を説明するための図である。また、図７は、図６に示される折り畳み線に沿って折り畳まれた後の、被収納吸収性物品の吸収体の狭幅領域となる第１領域における状態の一例を示す図である。さらに図８は、図６に示される折り畳み線に沿って折り畳まれた後の、被収納吸収性物品の吸収体の広幅領域となる第２領域における状態の一例を示す図である。
【００３３】
先にも述べたように、被収納吸収性物品の使用時においては、折り畳まれた吸収体部分を、着用者の肌方向に向けて立ち上げ、側方に広げることが必要となるが、吸収体上にて過度に長く延びる折り畳み線に沿った吸収体の折り畳みは、吸収体に撚れや折り癖をもたらし、実際に使用する際の展開時に吸収体が所望の形状に展開されないことがあり、このことは、例えば、吸収体の吸収面の有効利用の阻害や、折り畳み癖に沿った尿の流出（漏れ）の発生などをもらしてしまう場合がある。
【００３４】
このことに基づいて、本発明に係る被収納吸収性物品においては、長手方向に互いに隣接する２つの領域であって、狭幅領域となる第１領域と広幅領域となる第２領域との２つの領域にて吸収体が形成されるものとする。さらに、本発明に係る被収納吸収性物品においては、図６に示されるごとく、吸収体９の第１領域の第１側方縁に沿って平行に延びる一対の線１００を折り畳み線として、該折り畳み線１００に沿って幅方向内側に折り畳まれた状態で収納体に収納されるものとされる。
【００３５】
このように折り畳まれて収納体に収納される本発明に係る被収納吸収性物品１０によれば、少なくとも吸収体９の第１領域の第１側方縁に沿う長手方向部分は幅方向内側に折り畳まれることはなく、吸収体９上にて長手方向全長にわたって平行に延びる一対の線を折り畳み線として幅方向内側へ折り畳むものと比較して、吸収体９上における折り畳み部分を低減することができ、折り畳みの際に吸収体９にもたらされる撚れや折り癖の発生を抑制することを可能とする。また、少なくとも吸収体９の第２領域において折り畳み部分を存在させるようにすることができ、折り畳みの作業性や折り畳み後の折り畳み状態の維持性を損ねることなく、折り畳みの際に吸収体にもたらされる撚れや折り癖の発生を抑制することを可能とする。
【００３６】
図９は、収納体内に収納する前における更なる折り畳みの一例を説明する模式図である。また、図１０は、収納体内に収納されている被収納吸収性物品の状態の一例を示す斜視図である。
【００３７】
図９に示される一例においては、被収納吸収性物品１０が、図６にて示された折り畳み線１００に沿って幅方向内側に位置で折られた後に、さらに、幅方向の所定の２か所の折り位置において長手方向内側に折り畳まれる。そして、被収納吸収性物品１０は、図１０に示されるように折り畳まれた状態にて収納体内に挿入されて、該収納体内に収納れている被収納吸収性物品とされる。
【００３８】
以上、本願発明によれば、液透過性の表面シートと、該表面シートと対向する位置に配設された液不透過性の裏面シートと、表面シートと裏面シートとの間に配置された吸収体とを有し、収納体内に収納されている被収納吸収性物品において、被収納吸収性物品が収納された収納体の大きさのコンパクト化を図るべく行う折り畳みによって生じうる吸収体の撚れや折り癖を低減することができ、着用時における吸収体の吸収面の有効利用の阻害や、折り畳み癖に沿った尿の流出（漏れ）の発生などを抑制することを可能とする。尚、以上の説明はあくまで一例であり、本発明は、上記の実施形態に何ら限定されるものではない。
【符号の説明】
【００３９】
１    表面シート
２    裏面シート
３    吸収部材
４    上被覆シート
５    下被覆シート
６    防漏シート
７    弾性部材
８    ギャザーシート
９    吸収体
１０    吸収性物品
１００    折り畳み線
【図１】
2014150824.tif 000003
【図２】
2014150824.tif 000004
【図３】
2014150824.tif 000005
【図４】
2014150824.tif 000006
【図５】
2014150824.tif 000007
【図６】
2014150824.tif 000008
【図７】
2014150824.tif 000009
【図８】
2014150824.tif 000010
【図９】
2014150824.tif 000011
【図１０】
2014150824.tif 000012